(57)【特許請求の範囲】
【請求項１】
湖沼の水中に両端に開口部を有する狭窄部を形成し、ポンプによって該湖沼の水を一方の開口部から該狭窄部内に通過せしめ、生ずる剪断力によって該水中に含まれる緑藻類を凝集させて該狭窄部内壁に付着せしめることを特徴とする湖沼の緑藻類の除去方法
【請求項２】
該狭窄部内壁は粗面を有している請求項１に記載の湖沼の緑藻類の除去方法
【発明の詳細な説明】
【０００１】
【産業上の利用分野】
本発明は湖沼の水中に繁殖した緑藻類を除去する方法に関するものである。
【０００２】
【従来の技術】
従来、湖沼の水中に繁殖した緑藻類を除去するには、硫酸アルミニウム等の凝集剤を湖沼の水中に投入し、該緑藻類を凝集させた上で所望なれば曝気を行なって凝集物を水面に浮上させた上で真空パイプで吸引して捕集する方法、あるいは湖沼の水に硫酸銅を添加して緑藻類を死滅させる方法等が採られていた。
【０００３】
【発明が解決しようとする課題】
しかしながら緑藻類を凝集させ真空パイプで捕集する方法では、湖沼の岸に真空装置等を設置しなければならず、このような余地のない場合では実施不可能になり、また凝集剤が大量に必要で不経済である。更に凝集剤による湖沼あるいはその周囲の環境汚染等の問題点があり、また湖沼の水も真空パイプから可成りの量吸引されるから、緑藻類の除去効率が悪くかつ湖沼の水が減ってしまうと云う問題点もある。
【０００４】
【課題を解決するための手段】
本発明は上記従来の問題点を解決するための手段として、湖沼(1) の水(2) 中に両端に開口部を有する狭窄部(4B)を形成し、ポンプ(5) によって該湖沼(1) の水(2) を一方の開口部から該狭窄部(4B)内に通過せしめ、生ずる剪断力によって該水(2) 中に含まれる緑藻類(3) を凝集させて該狭窄部(4B)内壁(4A)に付着せしめる湖沼(1) の緑藻類(3) の除去方法を提供するものであり、該狭窄部(4B)内壁(4A)は粗面であることが望ましい。
【０００５】
【作用】
湖沼(1) の水(2) を両端に開口部を有する狭窄部(4B)に通過せしめると、該狭窄部(4B)の内壁(4A)と該水(2) との間に発生する剪断力によって、該水(2) 中に含まれる緑藻類(3) が凝集し、該狭窄部(4B)の内壁(4A)に付着する。該狭窄部(4B)の内壁(4A)への緑藻類(3) の付着量が飽和に達すれば、該内壁(4A)から緑藻類(3) を除去して再生する。内壁(4A)が粗面であると上記剪断力が有効に水(2) に働き、そして緑藻類(3) の付着効率が向上する。粗面とは例えば網や植毛層等によって構成される。
【０００６】
【実施例】
本発明を図１および図２に示す一実施例によって説明すれば、(1) は湖沼であり、該湖沼(1) の水(2) の中には緑藻類(3) が繁殖している。該湖沼(1) の水(2) の中には網によって構成される吹流し(4) が投入され、更にポンプ(5) を設置した浮板(6) が浮かべられる。そして該吹流し(4) の一端の開口部には該ポンプ(5) の出口側から差出される注入パイプ(7) が連絡する。
該ポンプ(5) の入口側からは吸水パイプ(8) が差出されて湖沼(1) の水(2) の中に挿入され、該吸水パイプ(8) の先端には魚やごみ等が吸水パイプ(8) から吸込まれるのを防ぐために網籠(9) が取付けられており、該網籠(9) 内には硫酸アルミニウム等の凝集剤を充填した布袋(10)が入れられている。
【０００７】
上記構成においてポンプ(5) を作動すると吸水パイプ(8) から水(2) と共に緑藻類(3) が吸引され、注入パイプ(7) を介して吹流し(4) 内に注入される。この際、網籠(9) 内の布袋(10)内に充填されている凝集剤がその周りの水(2) に溶出して吸水パイプ(8) から吸引される。そして図２に示すように該水(2) は吹流し(4) 内に形成される狭窄部(4B)を通過する際に該吹流し(4) の網からなる内壁(4A)との間に発生する剪断力により、また凝集剤の補助的作用によって該水(2) の中に含まれている緑藻類(3) が凝集して該吹流し(4) の内壁(4A)に付着し、このようにして緑藻類(3) は吹流し(4) 内に採取される。なお水(2) の中の緑藻類(3) は剪断力のみによっても凝集するから凝集剤は必須のものではない。
該吹流し(4) の内壁(4A)に対する緑藻類(3) の付着が飽和に達したら吹流し(4) を湖沼(1) の水(2) から取出して該吹流し(4) 内部から緑藻類(3) を取出し、所望ならば洗浄することによって再生する。
【０００８】
図３〜図５には本発明の他の実施例が示される。本実施例では図４に示すように下面に内壁としての植毛層(14A) を形成したプラスチックシート(14)の四隅にロープ(15)を取付け、更に下面には錘兼スペーサーである金属錘(16)の複数個を取付け、該プラスチックシート(14)を湖沼(1) の水(2) の中に投入する。該シート(14)は金属錘(16)によって湖沼(1) の底部(1A)まで沈降し、該シート(14)と湖沼(1) の底部(1A)との間に狭窄部(14B) が形成される。
ポンプ(5) を作動させて吸水パイプ(8) から網籠(9) を介して湖沼(1) の水(2) 吸引し、注入パイプ(7) を介して狭窄部(14B) に該水(2) を通過させる。この際、該狭窄部(14B) においてシート(14)下面の植毛層(14A) と水(2) との間に発生する剪断力によって、該水(2) 中に含まれている緑藻類(3) は凝集して図５に示すように該シート(14)下面に付着し、このようにして緑藻類(3) はシート(14)の下面に採集される。緑藻類(3) の該シート(14)下面への付着量が飽和に達したらロープ(15)を介して該シート(14)を湖沼(1) の水(2) から引上げて、該シート(14)下面に付着している緑藻類(3) 除去する。
【０００９】
上記実施例以外、吹流し(4) は内側に植毛層を形成したプラスチックシートによって構成してもよいし、プラスチックシート(14)に代えて網を使用してもよい。
【００１０】
【発明の効果】
したがって本発明では湖沼の岸に装置等を設置する必要はなく、どのような地形の中の湖沼でも緑藻類を効率良く安価な装置で除去出来、また環境汚染等の心配もないし、湖沼の水は循環されるので減少することもない。
【図面の簡単な説明】
図１および図２は本発明の一実施例を示すものである。
【図１】緑藻類採集状態説明図
【図２】吹流し部分断面図
図３〜図５は本発明の他の実施例を示すものである。
【図３】緑藻類採集状態説明図
【図４】プラスチックシート斜視図
【図５】プラスチックシート部分断面図
【符号の説明】
1             湖沼
2             水
3             緑藻類
4             吹流し
4A            内壁
4B            狭窄部
5             ポンプ
7             注入パイプ
14            プラスチックシート
14A           植毛層（内壁）
14B           狭窄部
【図１】
0003542830.tif 000002
【図２】
0003542830.tif 000003
【図３】
0003542830.tif 000004
【図４】
0003542830.tif 000005
【図５】
0003542830.tif 000006